(57)【要約】【課題】引き戸を閉動限で衝撃を伴うことなく且つ確実に制止保持させることができる引き戸閉止装置を提案する。【解決手段】引き戸移動経路脇に取り付けられる取付けユニットには、引き戸移動方向と平行に移動自在な可動体１２と、この可動体１２に垂直支軸４８の周りで水平揺動自在に支承され且つ引き戸２Ａ側の係合片５６と係脱自在な被係合片１３と、この可動体１２を引き戸閉動方向側の行程限に付勢保持するスプリング１５と、可動体１２の往復移動に連動して回転するロータリーダンパー１４と、被係合片１３に設けられたカム従動用軸部５０に作用する姿勢制御用カム３９が設けられ、この姿勢制御用カム３９は、直線経路部３９ａと折曲経路部３９ｂとを備え、この折曲経路部３９ｂによって被係合片１３が、被係合片５６の係脱動作を許す傾倒姿勢に保持されると共に可動体１２が引き戸開動方向側の行程限で保持される構成。【選択図】図２０
2010127050.tif 000002
【特許請求の範囲】
【請求項１】
引き戸に取り付けられる係合片と、引き戸移動経路脇に取り付けられる取付けユニットとから成り、取付けユニットには、引き戸移動方向と平行に移動自在な可動体と、この可動体に垂直支軸の周りで水平揺動自在に支承され且つ前記係合片と係脱自在な被係合片と、前記可動体を引き戸閉動方向側の行程限に付勢保持するスプリングと、前記可動体の往復移動に連動して回転し且つ前記可動体の引き戸閉動方向への移動に対して負荷をかけるロータリーダンパーと、前記被係合片に設けられたカム従動部に作用する姿勢制御用カムが設けられ、この姿勢制御用カムは、前記可動体が引き戸閉動方向側の行程限から引き戸開動方向側の行程限直前迄の間にあるときには前記被係合片を前記係合片に対する係合姿勢に保持する直線経路部と、前記可動体が引き戸開動方向側の行程限に達したときに、前記係合片の係脱動作を許す傾倒姿勢と前記係合姿勢との間で前記被係合片が揺動するのを許す折曲経路部とを備え、この折曲経路部は、前記被係合片のカム従動部と前記スプリングの付勢力とを介して、前記被係合片を傾倒姿勢に保持すると共に前記可動体を引き戸開動方向側の行程限に保持するように形成され、傾倒姿勢に保持されている前記被係合片に引き戸の前記係合片が係合して引き戸閉動方向に移動することにより、当該被係合片が係合姿勢に切り換えられると共に引き戸開動方向側の行程限での前記可動体の保持が解除されるように構成された、引き戸の閉止装置。
【請求項２】
前記可動体は、取付けユニットの長さ方向の両端間で往復移動自在に支持され、この可動体の引き戸閉動方向側の端部に前記被係合片が軸支され、前記係合片は、引き戸の閉動方向側の側辺の背面側に付設され、前記取付けユニットは、引き戸で開閉される空間の天井面又は当該空間に架設された棚に取り付けられている、請求項１に記載の引き戸の閉止装置。
【請求項３】
前記係合片は垂直向きの軸状部材から構成され、前記被係合片は、前記係合片が嵌入する凹入溝部を備えると共に、この凹入溝部を形成する一対の突起部の内、引き戸開動方向側の突起部の外側には傾斜カム面が形成され、前記取付けユニットは、取付け用基板に対し引き戸移動方向と直交する水平前後方向に一定範囲内で横動自在に取り付けられ、この取付けユニットを、被係合片の凹入溝部に係合片が係合する前側行程限に付勢保持する付勢手段が併設されている、請求項１又は２に記載の引き戸の閉止装置。
【請求項４】
前記取付けユニットは、互いに結合一体化される上下２部材間で前記可動体、被係合片、スプリング、及びロータリーダンパーを保持するものであって、前記被係合片は、前記可動体の上下一側面に軸支されると共に前記上下２部材間に形成された横長窓部から突出し、前記姿勢制御用カムは、前記上下２部材の内、前記被係合片に隣接する側の部材の内側に形成され、前記スプリングは、前記上下２部材の内、前記可動体に隣接する側の部材と前記可動体との間で当該可動体の移動方向と平行に掛張された引張コイルスプリングである、請求項１〜３の何れか１項に記載の引き戸の閉止装置。
【請求項５】
前記係合片は、引き戸への取付け座板から突設された上下一対の水平板部間に垂直に架設された軸状部材から構成されている、請求項１〜４の何れか１項に記載の引き戸の閉止装置。
【発明の詳細な説明】
【技術分野】
【０００１】
本発明は、閉じられる引き戸を、衝撃を発生させずに、しかも確実に閉動限で制止させることができる引き戸閉止装置に関するものである。
【背景技術】
【０００２】
この種の引き戸閉止装置としては、例えば特許文献１に記載されるように、引き戸移動方向と平行に出退移動するピストンロッドを備えたシリンダータイプのエアダンパーを利用するものが知られている。而して、この従来周知のエアダンパー利用の引き戸閉止装置は、ガイドレールの傾斜により重力で自動的に閉動するように構成した引き戸とエアダンパーのピストンロッドとを、一定以上の引き離し力で自動的に外れるキャッチ手段で連結したもので、引き戸を閉動方向に開動させたとき、キャッチ手段を介してエアダンパーのピストンロッドを引き出し、ピストンロッドが限界まで引き出されたところでキャッチ手段から引き戸が離脱して開動を継続する。引き戸が重力で閉動するときは、閉動行程の途中で引き戸がキャッチ手段を介してエアダンパーのピストンロッドと連結され、それ以降は、エアダンパーの負荷により引き戸に制動がかかって減速され、閉動限に達するように構成されたものである。
【特許文献１】特開２００７−７７５８０号公報
【発明の開示】
【発明が解決しようとする課題】
【０００３】
上記のような従来の引き戸閉止装置では、シリンダータイプのエアダンパーを含む装置全体の引き戸移動方向の長さが非常に長い大型のものになるから、この閉止装置を、例えば引き戸で開閉される空間の天井面に付設しようとすると、引き戸を開いたときに長尺で大型の閉止装置が目立ってしまうことになるので、上記文献に記載されるように、この閉止装置全体を内装することができる特殊な引き戸吊下用ガイドレールを採用しなければならない。又、引き戸の開動によりエアダンパーのピストンロッドを限界まで引き出した後、引き戸がピストンロッドから離れると、当該ピストンロッドがフリーの状態になって位置が不測に変動する可能性があり、この結果、閉動する引き戸をエアダンパーで制動減速させるときのピストンロッドの縮動ストロークにばらつきが生じて、制動減速動作が安定しない。更に、引き戸を閉動方向に下り勾配のガイドレールで支持して重力で引き戸が閉動するように構成し、この引き戸の閉動力でエアダンパーのピストンロッドを縮動させなければならないので、軽量引き戸には採用することができない。
【課題を解決するための手段】
【０００４】
本発明は上記のような従来の問題点を解消し得る引き戸閉止装置を提供することを目的とするものであって、請求項１に記載の引き戸閉止装置は、後述する実施形態の参照符号を付して示すと、引き戸２Ａに取り付けられる係合片５６と、引き戸移動経路脇に取り付けられる取付けユニット９とから成り、取付けユニット９には、引き戸移動方向と平行に移動自在な可動体１２と、この可動体１２に垂直支軸４８の周りで水平揺動自在に支承され且つ前記係合片５６と係脱自在な被係合片１３と、前記可動体１２を引き戸閉動方向側の行程限に付勢保持するスプリング１５と、前記可動体１２の往復移動に連動して回転し且つ前記可動体１２の引き戸閉動方向への移動に対して負荷をかけるロータリーダンパー１４と、前記被係合片１３に設けられたカム従動部（カム従動用軸部５０）に作用する姿勢制御用カム３９が設けられ、この姿勢制御用カム３９は、前記可動体１２が引き戸閉動方向側の行程限から引き戸開動方向側の行程限直前迄の間にあるときには前記被係合片１３を前記係合片５６に対する係合姿勢に保持する直線経路部３９ａと、前記可動体１２が引き戸開動方向側の行程限に達したときに、前記係合片５６の係脱動作を許す傾倒姿勢と前記係合姿勢との間で前記被係合片１３が揺動するのを許す折曲経路部３９ｂとを備え、この折曲経路部３９ｂは、前記被係合片１３のカム従動部（カム従動用軸部５０）と前記スプリング１５の付勢力とを介して、前記被係合片１３を傾倒姿勢に保持すると共に前記可動体１２を引き戸開動方向側の行程限に保持するように形成され、傾倒姿勢に保持されている前記被係合片１３に引き戸２Ａの前記係合片５６が係合して引き戸閉動方向に移動することにより、当該被係合片１３が係合姿勢に切り換えられると共に引き戸開動方向側の行程限での前記可動体１２の保持が解除される構成となっている。
【０００５】
上記構成の引き戸閉止装置によれば、引き戸側の係合片と引き戸移動経路脇に取り付けられた取付けユニットの被係合片とが係合し、引き戸が閉じ位置にあって且つ取付けユニットの可動体が引き戸閉動方向側の行程限にある状態から引き戸を開動させると、互いに係合する係合片と被係合片とを介して可動体がスプリングの付勢力に抗して引き戸に連動して引き戸開動方向へ移動する。従って、引き戸の開動操作は前記スプリングの付勢力に抗して開始されることになる。このとき、可動体の移動に連動してロータリーダンパーの受動軸も回転するが、このときのロータリーダンパー受動軸の回転方向では負荷が掛からないロータリーダンパー、又は可動体の引き戸開動方向への移動時はロータリーダンパー受動軸が回転しない一方向伝動手段を当該可動体とロータリーダンパー受動軸との間に介装すれば、引き戸の開動操作開始時にロータリーダンパーが負荷として働くのを防ぐことができる。
【０００６】
そして可動体が引き戸開動方向側の行程限に達したとき、前記姿勢制御用カムの折曲経路部によって前記被係合片が傾倒姿勢に切り換わり、引き戸の開動に伴って引き戸側の係合片が前記傾倒姿勢の被係合片から自動的に外れる。この後は、引き戸を係合片と共に可動体側の抵抗を受けることなく開動させることができる。一方、可動体は前記スプリングの付勢力で引き戸閉動方向に復帰移動しようとするが、前記姿勢制御用カムの折曲経路部によって、傾倒姿勢に保持された前記被係合片を介して引き戸開動方向側の行程限に保持される。
【０００７】
開いている引き戸を閉動させると、この引き戸側の係合片が、前記のように引き戸開動方向側の行程限に保持されている可動体の傾倒姿勢にある被係合片に係合して引き戸閉動方向に移動することにより、当該被係合片が係合姿勢に切り換えられると共に引き戸開動方向側の行程限での前記可動体の保持が解除されるので、以降は、可動体が係合姿勢の被係合片と共に前記スプリングの付勢力で引き戸閉動方向に移動するので、引き戸から手を離しても、当該引き戸は係合片、被係合片、及び可動体を介して前記スプリングの付勢力を受け、自動的に閉動して閉じ位置に到達する。このときの可動体の引き戸閉動方向の移動はロータリーダンパーに伝わり、このロータリーダンパーが閉動する引き戸に対して負荷を掛け、閉動する引き戸を制動減速させる結果、当該引き戸は、緩やかに閉動限に到達することになる。
【０００８】
上記構成の本発明を実施するについて、具体的には請求項２に記載のように、前記可動体１２は、取付けユニットの長さ方向の両端間で往復移動自在に支持し、この可動体１２の引き戸閉動方向側の端部に前記被係合片１３を軸支し、前記係合片５６は、引き戸２Ａの閉動方向側の側辺の背面側に付設し、前記取付けユニット９は、引き戸２Ａで開閉される空間の天井面５又は当該空間５に架設された棚の下側面や上側面に取り付けることができる。
【０００９】
又、請求項３に記載のように、前記係合片５６は垂直向きの軸状部材から構成し、前記被係合片１３は、前記係合片５６が嵌入する凹入溝部１６を備えると共に、この凹入溝部１６を形成する一対の突起部の内、引き戸開動方向側の突起部１３ａの外側には傾斜カム面５１を形成し、前記取付けユニット９は、取付け用基板８に対し引き戸移動方向と直交する水平前後方向に一定範囲内で横動自在に取り付け、この取付けユニット９を、被係合片１３の凹入溝部１６に係合片５６が係合する前側行程限に付勢保持する付勢手段２０を併設することができる。
【００１０】
又、請求項４に記載のように、前記取付けユニット９は、互いに結合一体化される上下２部材１０，１１間で前記可動体１２、被係合片１３、スプリング１５、及びロータリーダンパー１４を保持する構造とし、前記被係合片１３は、前記可動体１２の上下一側面に軸支すると共に前記上下２部材１０，１１間に形成された横長窓部１７から突出させ、前記姿勢制御用カム３９は、前記上下２部材１０，１１の内、前記被係合片１３に隣接する側の部材１１の内側に形成し、前記スプリング１５は、前記上下２部材１０，１１の内、前記可動体１２に隣接する側の部材１０と前記可動体１２との間で当該可動体１２の移動方向と平行に掛張された引張コイルスプリングとすることができる。
【００１１】
更に、請求項５に記載のように、前記係合片５６は、引き戸２Ａへの取付け座板５４から突設された上下一対の水平板部５５間に垂直に架設された軸状部材から構成することができる。
【発明の効果】
【００１２】
上記請求項１に記載の本発明によれば、先ず、従来のシリンダータイプのエアダンパーに代えてロータリーダンパーを採用しているので、引き戸移動経路脇に取り付けられる取付けユニットの全長を、引き戸移動方向に往復移動する可動体の全長に当該可動体の往復移動距離を加えた程度に短く構成することができる。しかも、引き戸移動経路脇に取り付けられる１つの取付けユニットが全ての構成部材を備えることになり、この取付けユニットの全長を前記の理由により短く構成できるので、この取付けユニットを、引き戸で開閉される空間の天井面や当該空間内に架設された棚に付設しても、引き戸を開いたときに短く小さな取付けユニットが見えるだけであり、従来のような長尺で大型の装置が目立ってしまうことがない。従って、従来のような閉止装置全体を内装することができる特殊な引き戸吊下用ガイドレールは不要であり、簡単容易且つ安価に実施することができる。
【００１３】
又、引き戸の開動により可動体を引き戸開動方向の行程限まで移動させたとき、可動体とこれに軸支された被係合片、及び姿勢制御用カムを介して、スプリングに、引き戸を閉じ位置まで強制的に閉動させるための付勢力を畜力させた状態を自動的に保持させ、引き戸を閉動させたとき、当該引き戸側の係合片が所定位置（傾倒姿勢の被係合片が引き戸側の係合片が係合する位置）に達した以降は、畜力された前記スプリングの付勢力で当該引き戸を閉じ位置まで自動的に閉動させることができるので、従来のように引き戸に閉動方向の重力を与えるための傾斜レールが不要であり、軽量引き戸でもスプリング力で確実に閉動限まで閉じさせることができる。しかも、このスプリング力で引き戸を閉動させる段階では、この閉動する引き戸をロータリーダンパーにより制動減速させて、閉動限に引き戸が衝撃的に衝突するのを防止し、緩やかに且つ安全に制止させることができる。
【００１４】
尚、請求項２に記載の構成によれば、取付けユニットを、引き戸で開閉される空間の天井面又は当該空間に架設された棚に、引き戸の閉動方向側の端に隣接させて取り付けて、引き戸の閉動方向側の側辺の背面側に付設された係合片に取付けユニット側の被係合片を係合させることができる。即ち、従来のように、引き戸側の係合片を、引き戸の閉動方向側の端から開動方向に離れた位置に設ける必要がない。従って、周囲の枠材にガラス板などを嵌め込んで構成された引き戸であっても、その枠材の引き戸閉動方向側の側辺を構成する箇所に係合片を取り付けることが可能になり、本発明の閉止装置の汎用性を高めることができる。
【００１５】
又、請求項３に記載の構成によれば、可動体がスプリングの付勢力で引き戸閉動方向の行程限に保持されていて、当該可動体に軸支された被係合片が姿勢制御用カムによって係合姿勢に保持されている状態の取付けユニットを、引き戸を開いた状態で引き戸移動経路脇の所定位置に取付け用基板を介して取り付け、その後、引き戸を閉動限まで閉じることにより、引き戸側の係合片が、被係合片の傾斜カム面を介して取付けユニットを、付勢手段に抗して前側行程限から後退移動させ、当該係合片が被係合片の凹入溝部に対応する位置に達したときに、前記付勢手段により取付けユニットが前側行程限まで前進移動して、引き戸側の係合片に取付けユニット側の係合姿勢にある被係合片の凹入溝部が嵌合する。即ち、引き戸移動経路脇の所定位置に取付けユニットを取り付けた後、引き戸を閉じる前に、可動体をスプリングの付勢力に抗して引き戸開動方向の行程限まで強制移動させて、被係合片を傾倒姿勢に人為的操作で切り換える必要がなくなる。
【００１６】
又、請求項４に記載の構成によれば、可動体、被係合片、スプリング、及びロータリーダンパーの全ての構成部材を、取付けユニットを構成する上下２部材間に内装すると共に、当該上下２部材の一方に姿勢制御用カムを形成し、当該上下２部材の他方と可動体との間に引張コイルスプリングを介在させるものであるから、本発明の閉止装置を必要最小限の部品点数でコンパクトにまとめて実施することができる。
【００１７】
更に、請求項５に記載の構成によれば、丈夫で且つ引き戸への取り付けも容易な係合片を構成することができる。
【発明を実施するための最良の形態】
【００１８】
以下に本発明の具体的実施例を添付図に基づいて説明すると、図１において、１は２枚の引き戸２Ａ，２Ｂで構成される引き違い戸装置であって、収納空間Ｓを開閉する。３Ａ，３Ｂは各引き戸２Ａ，２Ｂに併設された本発明の閉止装置であって、各閉止装置３Ａ，３Ｂは、引き戸２Ａ，２Ｂの閉動方向側の側辺の裏面に取り付けられた係合具４と、前記収納空間Ｓの天井面５に、前記収納空間Ｓの引き戸閉動方向側の側面６に隣接するように取り付けられた閉止装置本体７とから構成されている。
【００１９】
以下、図１の左側の閉止装置３Ａ、即ち、右向きに閉じられる引き戸２Ｂの内側に配置されて左向きに閉じられる引き戸２Ａを閉止する閉止装置３Ａについて説明すると、閉止装置３Ａの閉止装置本体７は、図２に示すように、取付け用基板８と取付けユニット９とから構成され、取付けユニット９は、内側部材１０と外側部材１１、内外両部材１０，１１間に内装される可動体１２、被係合片１３、ロータリーダンパー１４、及び引張コイルスプリング１５から構成され、外側部材１１には、前記被係合片１３の先端凹入溝部１６を取付けユニット９の外側へ突出させるための横長窓部１７を内側部材１０との間で形成する横長切欠き凹部１８が設けられている。
【００２０】
取付け用基板８は、図２Ｂ及び図３に示すように矩形平板状のものであって、その下側面側に長手方向一対のスライドガイド１９ａ，１９ｂが一体に突設されると共に、前側辺には付勢手段２０が設けられ、更に左右長手方向一対の被係合開口部２１ａ，２１ｂと２つの下側座ぐりの取付け孔２２が設けられている。スライドガイド１９ａ，１９ｂは、取付け用基板８と平行に前後幅方向に延出する角柱状のもので、その後端部が取付け用基板８に垂直柱部２３ａ，２３ｂを介して一体につながっている。又、付勢手段２０は一対の弾性舌片２４ａ，２４ｂで構成されたもので、各弾性舌片２４ａ，２４ｂは、その長手方向の右端部で取付け用基板８の前側辺に一体につながる帯板状のもので、他端側が取付け用基板８と平行に左方へ且つ取付け用基板８の前側辺から離れるように延出している。
【００２１】
取付けユニット９の内側部材１０は、図２Ｂ及び図４に示すように矩形平板状のものであって、その上面には、後側辺と左右長手方向の左側辺とが開放し且つ取付け用基板８がその前後幅方向に滑動自在に重なる凹窪部２５が形成され、この凹窪部２５内に、取付け用基板８のスライドガイド１９ａ，１９ｂの垂直柱部２３ａ，２３ｂがこの内側部材１０の後側辺側から遊嵌する切欠き凹部２６ａ，２６ｂ、取付け用基板８の被係合開口部２１ａ，２１ｂに嵌合する２つのストッパー片２７ａ，２７ｂ、取付け用基板８の取付け孔２２と合致する２つの貫通孔２８、及び外側部材１１とのねじ結合のための４つの座ぐり孔２９が設けられ、この内側部材１０の肉厚の前側辺部分の下側には、スプリング内装用凹溝部３０がこの内側部材１０の左右長手方向に沿って形成され、このスプリング内装用凹溝部３０内の左端には、スプリング係止柱部３１が下向きに一体に突設され、更にこの内側部材１０の下面側には、左右一対のロータリーダンパー押え部３２が下向きに一体に突設されている。尚、貫通孔２８の下端には、この内側部材１０の下側面から突出するリング状突出部２８ａが一体且つ同心状に突設され、ストッパー片２７ａ，２７ｂは、この内側部材１０の前後幅方向に長い弾性舌片状のもので、後端においてこの内側部材１０に一体につながると共に前端上面に、前記凹窪部２５の上面より上側に突出する逆止用突起部３３を備えている。
【００２２】
取付けユニット９の外側部材１１は、図２Ｂ及び図５に示すように内側部材１０と同一サイズの矩形平板状のものであって、その上面側には、この外側部材１１の左右長手方向一対のスライドガイド用凹溝部３４ａ，３４ｂが、この外側部材１１の後側辺側が開放されるように前後幅方向に形成されると共に、内側部材１０の２つの貫通孔２８に合致する２つの貫通孔３５と、４つの座ぐり孔２９に合致する４つのねじ結合用下孔３６が設けられている。更にこの外側部材１１の上面側には、この外側部材１１のほぼ全長に及ぶ長さで且つ外側部材１１の前側辺に沿って形成された可動体案内溝部３７と、ロータリーダンパー取付け凹部３８とが設けられ、可動体案内溝部３７の左側ほぼ半分の領域の下側には、被係合片１３の姿勢制御用カム溝３９と被係合片案内溝４０が形成されている。
【００２３】
尚、２つの貫通孔３５の上端内側には、内側部材１０側の貫通孔２８の下端に形成されているリング状突出部２８ａが嵌合する凹段部３５ａが形成されている。又、可動体案内溝部３７の左側ほぼ半分の領域の前側壁部は、内側部材１０との間で横長窓部１７を形成する横長切欠き凹部１８によって切除されており、当該可動体案内溝部３７の右側ほぼ半分の領域の後側には、当該可動体案内溝部３７の前側に位置する前側壁部１１ａとの間で可動体１２を案内する低い可動体案内用壁部４１が一体に立設されている。ロータリーダンパー取付け凹部３８の底面には、左右一対の位置決め用突起３８ａが突設されている。姿勢制御用カム溝３９は、左端から右側終端までの直線経路部３９ａと、この直線経路部３９ａの右側終端から後側に折曲連設された折曲経路部３９ｂとから構成され、折曲経路部３９ｂは、直線経路部３９ａから離れるに従って幅広になるように形成されて、その傾斜左側面３９ｃは、直線経路部３９ａから離れるに従って左側へ変位するように傾斜している。
【００２４】
可動体１２は、図２Ｂ及び図６に示すように、外側部材１１の可動体案内溝部３７の全長の半分より長い長さの棒状のものであって、その長さ方向の左端下面に設けられた被係合片軸支用孔４２、この長さ方向の左端から被係合片１３を支承する領域だけ離れた位置から右端までの領域において下側に一体に突設された下側スライドガイド部４３、左端から所要長さの領域にわたって後側辺から一体に突設されたラックギヤ部４４、長さ方向の全長にわたって上面から上向きに突設された上側スライドガイド部４５、この上側スライドガイド部４５の前側で長さ方向のほぼ全長にわたって上面に形成されたスプリング案内用凹溝４６、及びこのスプリング案内用凹溝４６の右端に上向きに一体に突設されたスプリング係止柱部４７を備えている。
【００２５】
先端凹入溝部１６を備えた被係合片１３は、図２Ｂ及び図７に示すように、後端部から上向きに支軸４８を一体に突設すると共に、この支軸４８と同心状にスライドガイド軸４９を下向きに一体に突設し、右側辺にはカム従動用軸部５０を下向きに一体に突設し、前端側が開放した先端凹入溝部１６を形成する左右一対の突起部の内、右側の短い突起部１３ａは、先端ほど細くなるように外側（右側）を傾斜カム面５１に形成したものである。
【００２６】
ロータリーダンパー１４は、図２Ｂ及び図８に示すように、本体上面から上向きに突出する受動軸１４ａにピニオンギヤ５２が取り付けられ、本体の下端から直径方向両側に一体に突設された左右一対の翼板部５３に、その先端から切欠き溝５３ａを形成したものである。
【００２７】
閉止装置本体７と対を成す係合具４は、図１及び図９に示すように、上下方向に長く且つ取付け孔５４ａを備えた取付け座板５４と、この取付け座板５４の上端部から同一側に突設された上下一対の水平板部５５と、両水平板部５５間に垂直に架設された丸軸状部材から成る係合片５６とで構成されている。尚、図１に示すように、左側の引き戸２Ａは、右側の引き戸２Ｂの内側を左右方向に滑動するものであるから、左側の引き戸２Ａに対する閉止装置３Ａの係合具４は、図１及び図９Ａ，Ｂに示すように、取付け座板５４の取付け面と係合片５６との間の距離が必要最小限に短くなるように構成されているのに対し、右側の引き戸２Ｂに対する閉止装置３Ｂの係合具４は、図１及び図９Ｃ，Ｄに示すように、取付け座板５４の取付け面と係合片５６との間の距離が、引き戸２Ｂの内側に引き戸２Ａの滑動空間が存在する分だけ大きくなるように構成されている。具体的には、閉止装置３Ａの係合具４と閉止装置３Ｂの係合具４とで取付け座板５４の厚さを変えている。尚、閉止装置３Ｂの閉止装置本体７は、閉止装置３Ａの閉止装置本体７と左右対称構造に構成されているだけであるから、詳細構造の図示及び説明は省略する。
【００２８】
次に、図２及び図１０〜図１５に基づいて上記閉止装置本体７の組立てについて説明すると、可動体１２の被係合片軸支用孔４２に被係合片１３の支軸４８を嵌合させて、可動体１２の左端部下側に被係合片１３を配置した状態で、当該可動体１２の下側スライドガイド部４３を、外側部材１１の前側壁部１１ａと可動体案内用壁部４１との間で可動体案内溝部３７に嵌合させると共に、被係合片１３のスライドガイド軸４９を外側部材１１の被係合片案内溝４０に、そしてカム従動用軸部５０を外側部材１１の姿勢制御用カム溝３９における直線経路部３９ａに、それぞれ嵌合させる。このとき被係合片１３の先端凹入溝部１６は、外側部材１１の横長切欠き凹部１８から外側（前側）に突出する。ロータリーダンパー１４は、外側部材１１のロータリーダンパー取付け凹部３８に嵌合させるが、このときロータリーダンパー１４の下端の左右一対の翼板部５３の各切欠き溝５３ａを、ロータリーダンパー取付け凹部３８の底面上の左右一対の位置決め用突起３８ａに嵌合させ、ロータリーダンパー１４を位置決めする。
【００２９】
上記の外側部材１１の上に内側部材１０を重ねるのであるが、このとき、引張コイルスプリング１５の一端を内側部材１０側のスプリング係止柱部３１に係合させると共に、引張コイルスプリング１５の他端を可動体１２側のスプリング係止柱部４７に係合させることにより、当該引張コイルスプリング１５は、内側部材１０のスプリング内装用凹溝部３０内に納められ且つ可動体１２のスプリング案内用凹溝４６に下辺が遊嵌する状態で、初期引張応力により可動体１２を可動体案内溝部３７の左端に付勢保持することになる。一方、外側部材１１の上に内側部材１０を重ねるとき、内側部材１０側の２つの貫通孔２８の下端リング状突出部２８ａを外側部材１１側の２つの貫通孔３５の上端凹段部３５ａに嵌合させることにより、内側部材１０と外側部材１１とが正確に位置決めされると共に、内側部材１０の左右一対のロータリーダンパー押え部３２が、外側部材１１のロータリーダンパー取付け凹部３８に内嵌されているロータリーダンパー１４の左右両側でロータリーダンパー取付け凹部３８内に入り込み、その先端がロータリーダンパー１４の左右一対の翼板部５３をそれぞれ押さえてロータリーダンパー１４を固定することになる。この状態で内側部材１０の上側から４つの座ぐり孔２９を経由して外側部材１１の４つのねじ結合用下孔３６に締結用タッピングねじ５７をねじ込み、内側部材１０と外側部材１１とを結合一体化することにより、取付けユニット９を完成させる。
【００３０】
組み立てられた取付けユニット９においては、可動体１２の上側スライドガイド部４５は、内側部材１０のスプリング内装用凹溝部３０の後側面に摺接する。又、内側部材１０と外側部材１１との間には、外側部材１１の横長切欠き凹部１８によって横長窓部１７が形成され、この横長窓部１７から被係合片１３の先端凹入溝部１６が前方に突出する。このとき可動体１２は、図１１に示すように引張コイルスプリング１５の引張力で可動体案内溝部３７の左端に付勢保持されているので、そのラックギヤ部４４は、図１９に示すように、ロータリーダンパー１４の上端のピニオンギヤ５２から左側に外れた位置にある。又、当該可動体１２の左端（引き戸閉動方向側の端部）に軸支されている被係合片１３は、取付けユニット９の横長窓部１７の左端にあって、当該被係合片１３のカム従動用軸部５０が取付けユニット９側の姿勢制御用カム溝３９の直線経路部３９ａに嵌合しているので、支軸４８及びスライドガイド軸４９の周りに回転することはできず、その先端凹入溝部１６が可動体１２の移動方向に対し直角向きとなる姿勢に保持されている。
【００３１】
次に取付けユニット９の上、即ち、内側部材１０の上側凹窪部２５内に取付け用基板８を組み付けるために、この取付け用基板８の左右一対のスライドガイド１９ａ，１９ｂを、内側部材１０の下側面と外側部材１１の左右一対のスライドガイド用凹溝部３４ａ，３４ｂとで形成された左右幅方向の角柱状孔内に後ろ側から差し込む。このとき、取付け用基板８の右側辺は、内側部材１０の上側凹窪部２５の右側にのみ形成されている一側辺垂直面２５ｂに摺接し、スライドガイド１９ａ，１９ｂの後端の垂直柱部２３ａ，２３ｂは、内側部材１０の切欠き凹部２６ａ，２６ｂ内に遊嵌する。このスライドガイド用凹溝部３４ａ，３４ｂ内へのスライドガイド１９ａ，１９ｂの差し込みの過程では、内側部材１０の左右一対のストッパー片２７ａ，２７ｂの先端の逆止用突起部３３が取付け用基板８の下側面で押し下げられることによりストッパー片２７ａ，２７ｂが下側へ弾性に抗して撓んで、スライドガイド用凹溝部３４ａ，３４ｂ内へのスライドガイド１９ａ，１９ｂの差し込みが許される。そして所定深さまでスライドガイド用凹溝部３４ａ，３４ｂ内へスライドガイド１９ａ，１９ｂが差し込まれると、ストッパー片２７ａ，２７ｂが上方に弾性復帰して逆止用突起部３３が取付け用基板８の左右一対の被係合開口部２１ａ，２１ｂ内に嵌まり込むことになるが、このとき、取付け用基板８の付勢手段２０を構成する左右一対の弾性舌片２４ａ，２４ｂが内側部材１０の凹窪部２５の前側垂直面２５ａに圧接しており、当該弾性舌片２４ａ，２４ｂの弾性復帰力で取付け用基板８が差し込み方向とは反対の後方に押し戻される状態になるが、既にストッパー片２７ａ，２７ｂの逆止用突起部３３が被係合開口部２１ａ，２１ｂの前側内側面に当接して、内側部材１０の凹窪部２５から取付け用基板８が後方に抜け出すのを阻止している。
【００３２】
以上のようにして組み立てられた閉止装置本体７では、図１３に示すように、取付け用基板８の２つの取付け孔２２の真下に内側部材１０の２つの貫通孔２８と外側部材１１の２つの貫通孔３５とが同心状に位置して、取付け用基板８の２つの取付け孔２２が閉止装置本体７の下側面（外側部材１１の下側面）に開放されているので、図１７に示すように、これら貫通孔２８，３５を利用して、取付け用基板８の２つの取付け孔２２に上向きに挿入した取付け用ねじ５８により、各閉止装置３Ａ，３Ｂにおける閉止装置本体７の取付け用基板８を、引き戸装置１で開閉される収納空間Ｓの天井面５に、引き戸２Ａ，２Ｂの閉動方向側の側面６に隣接するように取り付けることができる。又、各閉止装置３Ａ，３Ｂにおける係合具４は、引き戸２Ａ，２Ｂの閉じ方向の側辺の裏面側に、取付け座板５４の取付け孔５４ａと取付け用ねじとを利用して取り付けられる。これら閉止装置本体７（取付け用基板８）と係合具４の取付け位置は、後述するように引き戸２Ａ，２Ｂを閉じたときに、係合具４の係合片５６と閉止装置本体７の引き戸閉動方向側の行程限又はその直前位置にある被係合具１３とが係合して、引き戸２Ａ，２Ｂが閉じ位置に保持される位置である。
【００３３】
引き戸２Ａを閉止する閉止装置３Ａと引き戸２Ｂを閉止する閉止装置３Ｂとは、引き戸２Ａ，２Ｂの閉動方向が正反対向きであるだけで、作用は同一であるから、以下は、図１６〜図２１に基づいて、引き戸２Ａ側の閉止装置３Ａについて作用を説明する。
【００３４】
上記のように収納空間Ｓの天井面５に取り付けられた閉止装置本体７では、図１６に示すように、被係合片１３が引き戸２Ａの閉動方向側の行程限にあって、取付けユニット９の横長窓部１７から正面側に、その先端凹入溝部１６が引き戸２Ａの移動方向に対して直角向きで突出している。このとき、被係合片１３の右側の短い突起部１３ａの傾斜カム面５１も取付けユニット９の正面側に突出し、これら被係合片１３の先端凹入溝部１６及び傾斜カム面５１が、引き戸２Ａ側の係合片５６の移動経路内に位置している。この状態で引き戸２Ａを、閉止装置本体７から引き戸開動方向側に離れた適当位置（引き戸２Ａ側に取り付けられた係合具４が閉止装置本体７と干渉しない適当位置）において、引き戸ガイドにセットし、当該引き戸２Ａを閉動させる。
【００３５】
閉動する引き戸２Ａが閉動限位置の直前に達すると、図１６に仮想線で示すように、係合具４の係合片５６が閉止装置本体７（取付けユニット９）側の被係合片１３の傾斜カム面５１に当接するので、なおも引き戸２Ａを強制的に閉動させることにより、姿勢制御用カム溝３９の直線経路部３９ａにカム従動用軸部５０が嵌合して支軸４８及びスライドガイド軸４９の周りに回転することができない被係合片１３の傾斜カム面５１を介して、取付けユニット９の全体を取付け用基板８に対して後退移動させる。即ち、取付けユニット９は、取付け用基板８側のスライドガイド１９ａ，１９ｂに案内されて、内側部材１０の凹窪部２５の前側垂直面２５ａで取付け用基板８側の付勢手段２０の弾性舌片２４ａ，２４ｂを弾性に抗して変形させながら、引き戸２Ａから後ろ側へ直角水平に離れるようにスライドすることになる。そして引き戸２Ａ側の係合片５６が被係合片１３の右側の短い突起部１３ａを乗り越えたとき、後退していた取付けユニット９が、取付け用基板８側の弾性舌片２４ａ，２４ｂの弾性復帰力により取付け用基板８に対し前進移動して、定位置、即ち、内側部材１０側のストッパー片２７ａ，２７ｂが取付け用基板８側の被係合開口部２１ａ，２１ｂの前端内側面に当接する定位置に自動復帰し、この結果、図１９に示すように、取付けユニット９側の被係合片１３の先端凹入溝部１６が引き戸２Ａ側の係合片５６に嵌合すると同時に、引き戸２Ａも閉動限に到達する。
【００３６】
尚、取付けユニット９の前進移動により被係合片１３の先端凹入溝部１６が引き戸２Ａ側の係合片５６に嵌合するとき、丸軸状部材から成る係合片５６の円柱状周面に対する被係合片１３の突起部１３ａの先端との押し合いにより、可動体１２が引張コイルスプリング１５の引張力に抗して若干量だけ引き戸開動方向側に後退するように構成し、引き戸２Ａが閉動限（側面６又はこの側面６に付設された戸当たりに当接した位置）にあるとき、引張コイルスプリング１５の付勢力が、可動体１２、被係合片１３、及び係合片５６を介して引き戸２Ａに伝達され、引き戸２Ａが閉じ位置で開閉方向に遊ぶことなく確実に閉動限に保持されるように構成するのが好ましい。
【００３７】
閉動限にある引き戸２Ａを開動させると、係合具４の係合片５６を介して取付けユニット９側の被係合片１３を引き戸開動方向に引っ張ることになるが、被係合片１３は、そのカム従動用軸部５０が取付けユニット９側の姿勢制御用カム溝３９の直線経路部３９ａに嵌合していて、支軸４８及びスライドガイド軸４９の周りに回転することができないので、結果として、被係合片１３を介して可動体１２が引張コイルスプリング１５の付勢力に抗して引き戸２Ａと一体に開動方向へ移動することになる。従って、引き戸２Ａの開動操作に対して引張コイルスプリング１５の付勢力が抵抗になる。又、可動体１２が少し引き戸開動方向へ移動することにより、可動体１２側のラックギヤ部４４とロータリーダンパー１４のピニオンギヤ５２とが咬合し、ロータリーダンパー１４の受動軸１４ａが回転することになるが、このときの回転方向ではダンパー作用が生じない一方向動作のロータリーダンパー１４を使用すれば、引き戸２Ａの開動操作時にロータリーダンパー１４が実質的に抵抗になることはない。
【００３８】
引き戸２Ａの開動に連動して引張コイルスプリング１５の付勢力に抗して同一方向に移動する可動体１２は、その移動方向側の端部が、可動体案内溝部３７の両側に位置する外側部材１１の前側壁部１１ａと可動体案内用壁部４１とで挟まれて案内され、被係合片１３を軸支する端部は、当該被係合片１３のスライドガイド軸４９が被係合片案内溝４０に嵌合していることと、当該被係合片１３のカム従動用軸部５０が姿勢制御用カム溝３９の直線経路部３９ａに嵌合していることとにより、これら被係合片案内溝４０と姿勢制御用カム溝３９の直線経路部３９ａとで案内され、引き戸２Ａと一体に引き戸開動方向に移動する。
【００３９】
そして引き戸２Ａの開動が進んで、一体に移動する可動体１２が引き戸閉動方向の行程限に達したとき、図２１に示すように、当該可動体１２に軸支されている被係合片１３のカム従動用軸部５０が姿勢制御用カム溝３９の直線経路部３９ａの終端に達し、以降の引き戸２Ａの開動に伴って、引き戸２Ａ側の係合片５６が、被係合片１３の先端凹入溝部１６を介して当該被係合片１３を、カム従動用軸部５０が姿勢制御用カム溝３９の折曲経路部３９ｂ内に進入する向き、即ち、引き戸２Ａから後ろ側へ離れる方向に支軸４８及びスライドガイド軸４９の周りで回転させることになり、この被係合片１３の回転に伴って、図２０に示すように、引き戸２Ａ側の係合片５６が被係合片１３の先端凹入溝部１６内から脱出し、引き戸２Ａのみが係合具４と共に開動を続行することになる。
【００４０】
図２０に示すように、被係合片１３が回転して、引き戸２Ａ側の係合片５６が当該被係合片１３の先端凹入溝部１６内から脱出すると、引き戸２Ａ側の係合片５６から被係合片１３を介して可動体１２に与えられていた引き戸開動方向への引っ張り力が無くなるので、可動体１２は引き戸開動方向の行程限から引き戸閉動方向へ引張コイルスプリング１５の付勢力で復帰移動しようとするが、このとき、可動体１２と一体に移動しようとする被係合片１３のカム従動用軸部５０が姿勢制御用カム溝３９の折曲経路部３９ｂにおける傾斜左側面３９ｃに当接するので、当該傾斜左側面３９ｃとカム従動用軸部５０との圧接により、被係合片１３には、カム従動用軸部５０が折曲経路部３９ｂ内へ進入するときの回転方向の回転力が働き、カム従動用軸部５０が折曲経路部３９ｂの終端部に保持されて、可動体１２の復帰移動が阻止されると共に、被係合片１３が、先端凹入溝部１６内から引き戸２Ａ側の係合片５６が脱出したときの傾倒姿勢に保持される。
【００４１】
開動させた引き戸２Ａを閉動させるとき、上記のように取付けユニット９における可動体１２が引き戸開動方向の行程限に保持されていると共に、被係合片１３が、その先端凹入溝部１６内から引き戸２Ａ側の係合片５６が脱出したときの傾倒姿勢に保持されているので、引き戸２Ａが閉動限の少し手前の位置に達したとき、引き戸２Ａ側の係合片５６が傾倒姿勢にある被係合片１３の先端凹入溝部１６内に自然に進入し、この後の引き戸２Ａの閉動に伴う係合片５６の引き戸閉動方向への移動により、当該係合片５６が先端凹入溝部１６を介して被係合片１３を傾倒姿勢から元の係合姿勢へと、支軸４８及びスライドガイド軸４９の周りに回転させることになる。このとき、被係合片１３のカム従動用軸部５０が姿勢制御用カム溝３９における折曲経路部３９ｂの傾斜左側面３９ｃに沿って移動するだけで、支軸４８及びスライドガイド軸４９の位置が殆ど変化しないように、傾斜左側面３９ｃを形成しておくのが望ましい。
【００４２】
引き戸２Ａの閉動に連動して、被係合片１３が傾倒姿勢から元の係合姿勢へと回転することにより、被係合片１３のカム従動用軸部５０が姿勢制御用カム溝３９の折曲経路部３９ｂから直線経路部３９ａに移ると、このカム従動用軸部５０と折曲経路部３９ｂの傾斜左側面３９ｃとによる可動体１２の保持作用が解消され、可動体１２が引張コイルスプリング１５の付勢力で引き戸閉動方向へ移動することができる状態になる。従ってこれ以降は、引き戸２Ａは、引張コイルスプリング１５の付勢力を可動体１２、被係合片１３、及び係合片５６を介して受けるので、引き戸２Ａから手を離しても、可動体１２の引き戸閉動方向行程限への復帰移動に連動して自動的に閉動することになる。一方、この時の可動体１２の移動は、ラックギヤ部４４からピニオンギヤ５２を介してロータリーダンパー１４の受動軸１４ａに伝達され、当該ロータリーダンパー１４が作用して、引張コイルスプリング１５の付勢力によって引き戸閉動方向に移動する可動体１２と引き戸２Ａを制動・減速することになるので、引き戸２Ａが引張コイルスプリング１５の付勢力で勢い良く閉動限に衝突することがなくなり、円滑に閉動限で閉止することになる。
【００４３】
外側（右側）の引き戸２Ｂに対しても、当該引き戸２Ｂに対応する右側の閉止装置３Ｂが上記閉止装置３Ａと同様に作用し、引き戸２Ｂを閉動限で確実にしかし衝撃なく制止させ、保持させることができる。尚、両引き戸２Ａ，２Ｂの開動は、外側の引き戸２Ｂの閉動方向側の側辺の内側に付設されている係合具４と、内側の引き戸２Ａの開動方向側の側辺との当接により、制限されることになる。又、閉止装置本体７を収納空間Ｓの天井面５に取り付けているが、この収納空間Ｓに中間棚板が固定状態で架設されているときは、当該棚板の下側面又は上側面に閉止装置本体７を取り付けることもできる。
【００４４】
本発明の引き戸閉止装置は、以上のように実施することができるものであるが、上記実施形態に限定されるものではない。例えば、１枚の引き戸から構成される引き戸装置に対して利用できることは勿論であるが、取付けユニット９が位置固定されるように構成しても良い。この場合は、先に定位置に取り付けられた取付けユニット９から引き戸閉動方向の行程限で突出している被係合片１３の先端凹入溝部１６内に係合具４の係合片５６が嵌合するように、引き戸を引き戸ガイドにセットするか又は、被係合片１３を手作業で引き戸開動方向の行程限まで移動させ、当該被係合片１３を傾倒姿勢に切り換えて保持させた状態で、この取付けユニット９から離れた位置で引き戸ガイドにセットされた引き戸を閉動させることにより、被係合片１３の先端凹入溝部１６内に係合具４の係合片５６を嵌合させれば良い。このように構成するときは、取付け用基板８を省いて取付けユニット９を直接天井面５などに取り付けるように構成するか又は、先に取り付けられた取付け用基板８に対して上記実施形態のように取付けユニット９を後ろ側から差し込んで自動的に両者を定位置で係合一体化できるように構成することができ、付勢手段２０や被係合片１３の傾斜カム面５１を省くことができる。
【図面の簡単な説明】
【００４５】
【図１】Ａ図は引き戸装置全体の一部切欠き横断平面図、Ｂ図は同Ａ図のＡ−Ａ線断面図、Ｃ図は同Ａ図のＢ−Ｂ線断面図である。
【図２】Ａ図は左側閉止装置本体の斜視図、Ｂ図は同閉止装置本体の分解斜視図である。
【図３】Ａ図は左側閉止装置本体の取付け用基板の平面図、Ｂ図は同取付け用基板の正面図、Ｃ図は同取付け用基板の左側面図、Ｄ図は同Ａ図のＣ−Ｃ線断面図、Ｅ図は同Ａ図のＤ−Ｄ線断面図である。
【図４】Ａ図は左側閉止装置本体の内側部材の平面図、Ｂ図は同内側部材の底面図、Ｃ図は同Ａ図のＥ−Ｅ線断面図、Ｄ図は同Ａ図のＦ−Ｆ線断面図、Ｅ図は同Ａ図のＧ−Ｇ線断面図、Ｆ図は同Ａ図のＨ−Ｈ線断面図である。
【図５】Ａ図は左側閉止装置本体の外側部材の平面図、Ｂ図は同外側部材の正面図、Ｃ図は同外側部材の背面図、Ｄ図は同Ａ図のＩ−Ｉ線断面図、Ｅ図は同Ａ図のＪ−Ｊ線断面図、Ｆ図は同Ａ図のＫ−Ｋ線断面図、Ｇ図は同Ａ図のＬ−Ｌ線断面図である。
【図６】Ａ図は左側閉止装置本体の可動体の平面図、Ｂ図は同可動体の正面図、Ｃ図は同可動体の底面図、Ｄ図は同Ａ図のＭ−Ｍ線断面図、Ｅ図は同可動体の左側面図、Ｆ図は同可動体の右側面図である。
【図７】Ａ図は左側閉止装置本体の被係合片の平面図、Ｂ図は同被係合片の底面図、Ｃ図は同被係合片の正面図である。
【図８】Ａ図はロータリーダンパーの平面図、Ｂ図は同ロータリーダンパーの正面図である。
【図９】Ａ図は左側閉止装置の係合具の斜視図、Ｂ図は同係合具の横断平面図、Ｃ図は右側閉止装置の係合具の斜視図、Ｄ図は同係合具の横断平面図である。
【図１０】組み立てられた左側閉止装置本体のロータリーダンパー位置での縦断正面図である。
【図１１】同左側閉止装置本体の可動体位置での縦断正面図である。
【図１２】同左側閉止装置本体のスライドガイド位置での縦断側面図である。
【図１３】同左側閉止装置本体のストッパー片位置での縦断側面図である。
【図１４】同左側閉止装置本体のロータリーダンパー位置での縦断側面図である。
【図１５】同左側閉止装置本体の被係合片位置での縦断側面図である。
【図１６】取り付けられた左側閉止装置本体に対して引き戸側の係合具を組み合わせる作業の開始状況を説明する横断平面図である。
【図１７】左側閉止装置を示す一部縦断側面図である。
【図１８】取り付けられた左側閉止装置本体に対して引き戸側の係合具を組み合わせる作業の最終段階を説明する横断平面図である。
【図１９】引き戸が閉止状態にあるときの左側閉止装置を示す横断平面図である。
【図２０】引き戸の係合具が左側閉止装置から離れた直後、又は左側閉止装置と係合する直前位置にあるときの状態を説明する横断平面図である。
【図２１】引き戸の係合具が左側閉止装置と係合した直後、又は左側閉止装置から離脱する直前位置にあるときの状態を説明する横断平面図である。
【符号の説明】
【００４６】
Ｓ    収納空間
１    引き違い戸装置
２Ａ，２Ｂ    引き戸
３Ａ，３Ｂ    閉止装置
４    係合具
７    閉止装置本体
８    取付け用基板
９    取付けユニット
１０    内側部材
１１    外側部材
１２    可動体
１３    被係合片
１４    ロータリーダンパー
１５    引張コイルスプリング
１６    先端凹入溝部
１７    横長窓部
１９ａ，１９ｂ    スライドガイド
２０    付勢手段
２１ａ，２１ｂ    被係合開口部
２４ａ，２４ｂ    弾性舌片
２５    凹窪部
２７ａ，２７ｂ    ストッパー片
３０    スプリング内装用凹溝部
３１，４７    スプリング係止柱部
３２    ロータリーダンパー押え部
３４ａ，３４ｂ    スライドガイド用凹溝部
３７    可動体案内溝部
３８    ロータリーダンパー取付け凹部
３９    姿勢制御用カム溝
３９ａ    直線経路部
３９ｂ    折曲経路部
３９ｃ    傾斜左側面
４０    被係合片案内溝
４１    可動体案内用壁部
４２    被係合片軸支用孔
４３    下側スライドガイド部
４４    ラックギヤ部
４５    上側スライドガイド部
４８    支軸
４９    スライドガイド軸
５０    カム従動用軸部
５１    傾斜カム面
５２    ピニオンギヤ
５６    係合片
５７    締結用タッピングねじ
５８    取付け用ねじ
【図１】
2010127050.tif 000003
【図２】
2010127050.tif 000004
【図３】
2010127050.tif 000005
【図４】
2010127050.tif 000006
【図５】
2010127050.tif 000007
【図６】
2010127050.tif 000008
【図７】
2010127050.tif 000009
【図８】
2010127050.tif 000010
【図９】
2010127050.tif 000011
【図１０】
2010127050.tif 000012
【図１１】
2010127050.tif 000013
【図１２】
2010127050.tif 000014
【図１３】
2010127050.tif 000015
【図１４】
2010127050.tif 000016
【図１５】
2010127050.tif 000017
【図１６】
2010127050.tif 000018
【図１７】
2010127050.tif 000019
【図１８】
2010127050.tif 000020
【図１９】
2010127050.tif 000021
【図２０】
2010127050.tif 000022
【図２１】
2010127050.tif 000023